(57)【特許請求の範囲】
【請求項１】
浴槽内の湯を吸湯管より汲み上げ、装置本体内にて連結する濾過タンク、紫外線殺菌装置を連結して濾過、殺菌して清浄化処理し、ヒータにより保温処理し、前記浴槽内に噴出すると共に、前記紫外線殺菌装置は側面に湯流入口と湯流出口とを設けたジャケット内を湯が流通することでジャケット内の紫外線ランプで循環する湯を殺菌するようにした浴槽湯の清浄化装置において、前記紫外線殺菌装置を、前記紫外線ランプを収納する開口部が設けられた保護管と該保護管の上部で一体化され回路ケースを収納する開口部が設けられたＵＶ蓋とでなる保護管ユニットと、該保護管ユニットの前記保護管の開口部に収納される紫外線発光源である紫外線ランプと前記ＵＶ蓋に収納される回路ケースには前記紫外線ランプに高電圧を印加するインバータボードが装着されると共に、前記回路ケースの開口部を密閉するインバータ蓋とが設けられたランプユニットとを一体化したＵＶユニットで構成して、該ＵＶユニットを前記ジャケットに着脱可能に構成すると共に、前記保護管内と雰囲気が通じている前記回路ケース面に結露センサを配備したことを特徴とする浴槽湯の清浄化装置。
【請求項２】
浴槽内の湯を吸湯管より汲み上げ、装置本体内にて連結する濾過タンク、紫外線殺菌装置を連結して濾過、殺菌して清浄化処理し、ヒータにより保温処理し、前記浴槽内に噴出すると共に、前記紫外線殺菌装置は側面に湯流入口と湯流出口とを設けたジャケット内を湯が流通することでジャケット内の紫外線ランプで循環する湯を殺菌するようにした浴槽湯の清浄化装置において、前記紫外線殺菌装置を、前記紫外線ランプを収納する開口部が設けられた保護管と該保護管の上部で一体化され回路ケースを収納する開口部が設けられたＵＶ蓋とでなる保護管ユニットと、該保護管ユニットの前記保護管の開口部に収納される紫外線発光源である紫外線ランプと前記ＵＶ蓋に収納される回路ケースには前記紫外線ランプに高電圧を印加するインバータボードが装着され、前記保護管内と雰囲気が通じている前記回路ケース面に結露センサが配備されると共に、前記回路ケースの開口部を密閉するインバータ蓋とが設けられたランプユニットとを一体化したＵＶユニットで構成して、該ＵＶユニットを前記ジャケットに着脱可能としたことを特徴とする浴槽湯の清浄化装置。
【請求項３】
浴槽内の湯を吸湯管より汲み上げ、装置本体内にて連結する濾過タンク、紫外線殺菌装置を連結して濾過、殺菌して清浄化処理し、ヒータにより保温処理し、前記浴槽内に噴出すると共に、前記紫外線殺菌装置は側面に湯流入口と湯流出口とを設けたジャケット内を湯が流通することでジャケット内の紫外線ランプで循環する湯を殺菌するようにした浴槽湯の清浄化装置において、前記紫外線殺菌装置を、前記紫外線ランプを収納する開口部が設けられた保護管と該保護管の上部で一体化され回路ケースを収納する開口部が設けられたＵＶ蓋とでなる保護管ユニットと、該保護管ユニットの前記保護管の開口部に収納される紫外線発光源である紫外線ランプと前記ＵＶ蓋に収納される回路ケースには前記紫外線ランプに高電圧を印加するインバータボードが装着されると共に、前記回路ケースの開口部を密閉するインバータ蓋とが設けられたランプユニットとを一体化したＵＶユニットで構成して、該ＵＶユニットを前記ジャケットに着脱可能に構成すると共に、前記保護管内と雰囲気が通じている雰囲気中の湿度を検知して保護管の割れを検知するための結露センサを配備したことを特徴とする浴槽湯の清浄化装置。
【発明の詳細な説明】
【０００１】
【発明の属する技術分野】
本発明は風呂装置に係り、特に浴槽内の湯を強制的に循環させつつ濾過、殺菌、等の清浄化処理すると同時に入浴温度に保温し、浴槽湯を絶えず清浄かつ適温に保ち２４時間何時でも好みの時に入浴できるようにしたいわゆる２４時間風呂装置に関するものである。
【０００２】
【従来の技術】
最近、浴槽内の湯を絶えず清浄かつ適温に保ち、２４時間いつでも快適に入浴でき、しかも水の節約にもなる、浴槽湯の清浄化装置の利用が盛んになつてきた。
【０００３】
このような浴槽湯の清浄化装置の１例は図８に示す通りであり、１が浴槽、２が湯、３が浴槽１内の湯２を汲み上げるための吸湯管、４が吸湯管３で汲み上げられた湯を清浄化処理するための機器類をまとめて配備した装置本体、９が装置本体４で処理された湯を浴槽１内に再び噴出させるための噴湯管である。
【０００４】
装置本体４には湯を、紫外線殺菌するための紫外線殺菌装置５、汚れを取り除くため、活性炭、活性石、多孔質セラミツクボール等の各種の粒状濾材や繊維状フイルタが単独或いは複合して装填された濾過タンク６、強制循環するための循環ポンプ７、適温に保つためのヒータ８等の清浄化処理機器が直列に連結して配備してある。
【０００５】
１０は大きな汚れを装置本体４に汲み上げる前に予め取り除くため吸湯管３の先端に取り付けたプレフイルタであり、１１は清浄化処理の終わった湯を流速の早いジエツト流として浴槽１内に噴出する吸気管１２がエジエクタ部に接続するジエツトノズルである。
【０００６】
ジエツトノズル１１のエジエクタ部に接続する吸気管１２の先端には管路を開閉するための電磁弁１３が設けられ、電磁弁１３を開くとジエツトノズル１１の吸気力で吸気管１２から空気が吸い込まれ、この空気がエジエクタ部で湯に混入されジエツトノズル１１から湯と共に空気が浴槽１内に噴出して泡風呂となる。
【０００７】
以上のように構成される装置では、操作パネルにより運転が設定されると、浴槽１内の湯２は、プレフイルタ１０で大きな汚れを取り除いた後装置本体４に入り、紫外線殺菌装置５で紫外線殺菌し、濾過タンク６で濾過し、ヒータ８で加熱し、噴湯管９の先端のジエツトノズル１１から浴槽１に再び噴出する清浄化処理の運転が始まる。
【０００８】
また操作パネルによりジエット運転が設定されると、電磁弁１３が開いて吸気管１２から吸い込まれた空気がジエツトノズル１１から湯と共に浴槽１内に噴出し、入浴者が泡風呂を楽しめるようになる。
【０００９】
浴槽湯の清浄化装置において殺菌装置として紫外線殺菌装置５を利用する場合に紫外線の発光源としての紫外線ランプが循環する湯と直接接触していると、紫外線ランプは、防水を完全にしないと湯が侵入して漏電の危険があり、さらに高温に熱せらるので湯との温度差が大きく熱シヨツクで割れてしまう恐れがある。
【００１０】
このため紫外線ランプは、外側を透明で紫外線透過性の良くしかも耐熱性に優れた材料である石英ガラス等による保護管内に収納して湯との直接の接触を断つた状態とし、この保護管内に収納した紫外線ランプを湯の流入口と流出口とを持つ金属製或いはプラスチツク製のジヤケツト内に収納するようにしている。
【００１１】
ところが紫外線ランプを保護管で湯との直接の接触を断ったとしても、保護管は前記したように紫外線透過性の関係でガラス管で形成されるので今度は保護管の割れが問題となり、保護管が何らかの原因で割れた場合には浴槽湯に漏電し入浴者が感電する危険があり、さらに浴槽湯中に放散されガラスの破片で怪我をする危険がある。
【００１２】
このため従来は保護管内に一対の水検知電極を配備し保護管が割れて管内に湯が流入した際に電極間を導通させて保護管の割れを検知し、この検知結果に基づいて紫外線ランプへの通電と循環ポンプの作動とを止めるようにしていた。
【００１３】
しかしながら水検知電極を利用して保護管の割れを検知する場合には、検知の精度が悪くしかも電極が高価であり、さらに水検知回路自体が保護管割れを検知した際に湯に漏電し感電を起こす危険を持っていた。
【００１４】
このため保護管割れを感電を起こさないような検知回路によって素早く正確に検知するため、特開平９ー５７２５３に開示されるような、結露センサを利用し保護管の割れを検知する紫外線殺菌装置も開発された。
【００１５】
保護管割れを検知するために結露センサを配備した紫外線殺菌装置は図９に縦断面図として示す通りであり、１４が殺菌用の紫外線発光源としての紫外線ランプ、１５が紫外線ランプを収納する保護管、１６が上端が開口し、側面に湯流入口１７と湯流出口１８とを設け紫外線ランプ１４で殺菌されながら湯が流通するジヤケツトである。
【００１６】
ジャケット１６は、湯流入口１７の上方で保護管取付穴２０を中央に設けた仕切板１９で仕切って湯の流通を断ち、仕切板１９の保護管取付穴２０に紫外線ランプ１４を収納した保護管１５を取付リング２１を介して差し込み、結露センサ２２を仕切板１９の上方空間部に配備し、上端開口を蓋２３で閉じている。
【００１７】
この結果ジャケット１６は、湯の流通を断つと同時に保護管１５内と雰囲気を通じさせた密閉空間であるセンサ室２４内に結露センサ２２を配備した状態となり、結露センサ２２は、保護管１６が完全に割れ内部に湯が侵入すれば勿論のこと、ひびが入って内部の湿度が上がったような状態でも抵抗変化によってこれを素早く検知する。
【００１８】
【発明が解決しようとする課題】
しかしながら前記したような紫外線殺菌装置には、浴室でシャワーを利用した時にセンサ表面に結露してしまって誤動作したり、メンテイナンスの時にセンサ表面を水で濡らしてしまって誤動作したり、手や物が触れて破損してしまったりする恐れがあるといった解決しなければならない２つの課題があった。
【００１９】
すなわち第１の課題は、室温２０℃の浴室でシャワーを利用すると浴室内の露点は３０℃となり、浴室内に配備してある装置本体４内の３０℃より低い温度の部品の表面にも結露し、結露センサ２２も、前記したようにジャケット１６内の発熱源とは離れたセンサ室２４に配備してあり温度が低い状態となっているので、表面に結露し誤動作する恐れがある。
【００２０】
また第２の課題は、結露センサ２２は、前記したようにジャケット１６の上端開口に近い位置に配備されているので、蓋２３を開けた状態で濾過タンク６の濾材の交換や洗浄、保護管１５の洗浄、或いは水張りといったメンテイナンスをすると、結露センサ２２を水で濡らしてしまい誤動作する恐れがある。
【００２１】
さらにメンテイナンスのために紫外線ランプ１４や保護管１５をジャケット１６から取り出す時には、結露センサ２２に手や物が触れて破損させてしまう恐れがある。
【００２２】
本発明は前記したような従来技術の２つの課題を解決し、シャワーの利用により浴室内の湿度が上がっても表面への結露の心配が無く、しかもメンテイナンスの時に水濡れや破損の心配がない状態で結露センサ２２を配備した紫外線殺菌装置を提供することを目的とする。
【００２３】
【課題を解決するための手段】
すなわち本発明は、浴槽内の湯を吸湯管より汲み上げ、装置本体内にて連結する濾過タンク、紫外線殺菌装置を連結して濾過、殺菌して清浄化処理し、ヒータにより保温処理し、前記浴槽内に噴出すると共に、前記紫外線殺菌装置は側面に湯流入口と湯流出口とを設けたジャケット内を湯が流通することでジャケット内の紫外線ランプで循環する湯を殺菌するようにした浴槽湯の清浄化装置において、前記紫外線殺菌装置を、前記紫外線ランプを収納する開口部が設けられた保護管と該保護管の上部で一体化され回路ケースを収納する開口部が設けられたＵＶ蓋とでなる保護管ユニットと、該保護管ユニットの前記保護管の開口部に収納される紫外線発光源である紫外線ランプと前記ＵＶ蓋に収納される回路ケースには前記紫外線ランプに高電圧を印加するインバータボードが装着されると共に、前記回路ケースの開口部を密閉するインバータ蓋とが設けられたランプユニットとを一体化したＵＶユニットで構成して、該ＵＶユニットを前記ジャケットに着脱可能に構成すると共に、前記保護管内と雰囲気が通じている前記回路ケース面に結露センサを配備したことを特徴とする浴槽湯の清浄化装置としたことで課題を解決した。
【００２４】
また、本発明は、浴槽内の湯を吸湯管より汲み上げ、装置本体内にて連結する濾過タンク、紫外線殺菌装置を連結して濾過、殺菌して清浄化処理し、ヒータにより保温処理し、前記浴槽内に噴出すると共に、前記紫外線殺菌装置は側面に湯流入口と湯流出口とを設けたジャケット内を湯が流通することでジャケット内の紫外線ランプで循環する湯を殺菌するようにした浴槽湯の清浄化装置において、前記紫外線殺菌装置を、前記紫外線ランプを収納する開口部が設けられた保護管と該保護管の上部で一体化され回路ケースを収納する開口部が設けられたＵＶ蓋とでなる保護管ユニットと、該保護管ユニットの前記保護管の開口部に収納される紫外線発光源である紫外線ランプと前記ＵＶ蓋に収納される回路ケースには前記紫外線ランプに高電圧を印加するインバータボードが装着され、前記保護管内と雰囲気が通じている前記回路ケース面に結露センサが配備されると共に、前記回路ケースの開口部を密閉するインバータ蓋とが設けられたランプユニットとを一体化したＵＶユニットで構成して、該ＵＶユニットを前記ジャケットに着脱可能としたことを特徴とする浴槽湯の清浄化装置としたことで課題を解決した。
さらに、本発明は、浴槽内の湯を吸湯管より汲み上げ、装置本体内にて連結する濾過タンク、紫外線殺菌装置を連結して濾過、殺菌して清浄化処理し、ヒータにより保温処理し、前記浴槽内に噴出すると共に、前記紫外線殺菌装置は側面に湯流入口と湯流出口とを設けたジャケット内を湯が流通することでジャケット内の紫外線ランプで循環する湯を殺菌するようにした浴槽湯の清浄化装置において、前記紫外線殺菌装置を、前記紫外線ランプを収納する開口部が設けられた保護管と該保護管の上部で一体化され回路ケースを収納する開口部が設けられたＵＶ蓋とでなる保護管ユニットと、該保護管ユニットの前記保護管の開口部に収納される紫外線発光源である紫外線ランプと前記ＵＶ蓋に収納される回路ケースには前記紫外線ランプに高電圧を印加するインバータボードが装着されると共に、前記回路ケースの開口部を密閉するインバータ蓋とが設けられたランプユニットとを一体化したＵＶユニットで構成して、該ＵＶユニットを前記ジャケットに着脱可能に構成すると共に、前記保護管内と雰囲気が通じている雰囲気中の湿度を検知して保護管の割れを検知するための結露センサを配備したことを特徴とする浴槽湯の清浄化装置としたことで課題を解決した。
【００２５】
【発明の実施の形態】
次に本発明の実施の形態について実施例を示す図１〜図７の図面に基づいて説明する。
【００２６】
まず図１の正面図、図２の部分縦断面図、図３の平面図に基づいて紫外線発光源としてのランプユニット２５について説明する。
【００２７】
紫外線ランプ１４は、上端、下端が閉じた直管状のランプ管２６の上下両端に電極２７が設けられた従来例と同様の直管タイプの水銀ランプであり、上端開口部に耐熱性、難燃性、耐紫外線性等に優れたセラミックやＰＢＴ、ＰＣ樹脂で作られ、電極２７に対する導線を埋設したランプベース２８が取り付けてある。
【００２８】
２９は回路ケースであり、本実施例ではランプベース２８と一体に形成してあるが、別体として形成しランプベース２８の上端に固着しても良く、ランプベース２８に対して接続した状態で配備してあれば良い。
【００２９】
３０がインバータボードであり、回路ケース２９内に収納してあり、ＤＣ−ＡＣインバータ回路が配備され、紫外線ランプ１４の放電用の２つの対向した電極２７に導線を介して繋がり、紫外線ランプ１４に対して高周波高電圧の電源を印加する。
【００３０】
３１はインバータ蓋であり、外周に鍔３２を設け、表面にはコネクタ穴３３を設けてあり、回路ケース２９に対してねじ止めで取り付けて上端の開口を完全に塞ぎ、インバータボード３０を収納する回路ケース２９内に水やゴミが絶対に入らないようにする。
【００３１】
なおインバータボード３０と図示しない制御ボードとを導線で接続するため、インバータボード３０にはコネクタ３４が固着され、インバータ蓋３１にはコネクタ穴３３を設けてあるが、このコネクタ穴３３から回路ケース２９に水やゴミが入らないようにコネクタ３４の外周はコネクタパッキン３５で覆ってある。
【００３２】
したがってランプユニット２５は、インバータボード３０を収納する回路ケース２９の防水は完全であり、同時に紫外線ランプ１４も、防水が完全な回路ケース２９に収納されたインバータボード３０で開口が塞がれているので防水が完全である。
【００３３】
結露センサ２２は、発熱源としてのインバータボード３０の近傍で温度を高く保てる回路ケース２９の側面に配備してあり、しかもこの位置は、後に説明するように保護管内と雰囲気が通じていると同時にメンテイナンスの時に水濡れや破損の心配がないような位置になっている。
【００３４】
次に図４の正面図及び図５の平面図に基づいて前記ランプユニット２５を収納する保護管ユニット３６について説明する。
【００３５】
保護管ユニット３６は、保護管１５の上端開口にＵＶ蓋３７をＵＶパッキン３８及びＵＶパッキン押え３９を利用しながらねじ止めし取り付け、さらにＵＶ蓋３７の下方のジャケットとの嵌合部の外周にはＯリング４０を嵌めて形成してある。
【００３６】
保護管ユニット３６は、以上のように構成することにより、前記ランプユニット２５は、紫外線ランプ１４の部分を保護管１５に、インバータ蓋３１で密閉した回路ケース２９の部分をＵＶ蓋３７に収納して保護し、また湯が流通するジャケットに取り付けても湯が絶対に中に入らないようになっている。
【００３７】
以上のように形成された保護管ユニット３６にランプユニット２５を収納し、インバータ蓋３１とＵＶ蓋３７とをねじ止めすると、図６の一部を切り欠いた正面図と、図７の平面図とに示されるようなＵＶユニット４１となり、図示しないが、ＵＶユニット４１は、着脱自在でしかも湯の流入を完全に防いだ状態で従来例と同様の湯が流通するジャケットに取り付けられ紫外線殺菌装置を形成する。
【００３８】
前記したようにランプユニット２５のインバータ蓋３１の外周には鍔３２が設けられているため、保護管ユニット３６にランプユニット２５を収納した際に保護管ユニット３６のＵＶ蓋３７は防滴構造になっている。
【００３９】
このように構成されるＵＶユニット４１において、結露センサ２２は、ランプユニット２５の回路ケース２９の側面に配備してあるので、温度が高く保たれ、水濡れが無く、メンテイナンスの時に手や物が絶対に触れないようになっている。
【００４０】
すなわち結露センサ２２は、高温の紫外線ランプ１４のランプベース２８に接続して設けられしかも発熱源であるインバータボード３０を収納した回路ケース２９の側面に配備しあるので、６０℃程度の高い温度が絶えず保たれている。
【００４１】
したがって結露センサ２２は、シャワーを利用して浴室内の湿度が高くなっても表面に結露し、誤動作する恐れはない。
【００４２】
また保護管１５やジャケットを掃除したりするためにＵＶユニット４１をジャケットから取り外しても、回路ケース２９がＵＶ蓋３７に収納されているので結露センサ２２には全く手や物は触れないし、ランプユニット２５を保護管ユニット３６に取りつけたままで結露センサ２２に全く手や物は触れないで保護管１５を掃除できる。
【００４３】
以上のように保護管１５やジャケットの掃除のようなメンテイナンスをしても、この時に手や物が触れて結露センサ２２が破損してしまうような恐れは全くない。
【００４４】
さらに保護管ユニット３６のＵＶ蓋３７はランプユニット２５のインバータ蓋３１の外周の鍔３２が設けられ完全に密閉されているので、メンテイナンスの時にＵＶユニット４１に水がかかってもＵＶ蓋３７の中に水は入らず、結露センサ２２が水で濡れて誤動作しない。
【００４５】
【発明の効果】
本発明は以上のように構成され、紫外線殺菌装置の保護管割れが破損したり、誤動作したり、感電の危険を与えたりしない結露センサによって素早く正確に検知できるようになる。
【００４６】
したがってこのような結露センサを配備した紫外線殺菌装置を浴槽湯の清浄化装置に配備すると、浴槽湯が感電の危険がない安全な状態で紫外線殺菌されるようになり、２４時間何時でも清浄な湯で入浴を楽しめるようになる。
【図面の簡単な説明】
【図１】              ランプユニット正面図、
【図２】              ランプユニット部分縦断面図、
【図３】              ランプユニット平面図、
【図４】              保護管ユニット正面図、
【図５】              保護管ユニット平面図、
【図６】              ＵＶユニット一部切り欠き正面図、
【図７】              ＵＶユニット平面図、
【図８】              浴槽湯清浄化装置配管図、
【図９】              従来例。
【符号の説明】
１                浴槽
２                湯
３                吸湯管
４                装置本体
５                紫外線殺菌装置
６                濾過タンク
７                循環ポンプ
８                ヒータ
９                噴湯管
１４                紫外線ランプ
１５                保護管
２２                結露センサ
２５                ランプユニット
２８                ランプベース
２９                回路ケース
３０                インバータボード
３１                インバータ蓋
３６                保護管ユニット
３７                ＵＶ蓋
【図１】
0003781392.tif 000002
【図２】
0003781392.tif 000003
【図３】
0003781392.tif 000004
【図４】
0003781392.tif 000005
【図５】
0003781392.tif 000006
【図６】
0003781392.tif 000007
【図７】
0003781392.tif 000008
【図８】
0003781392.tif 000009
【図９】
0003781392.tif 000010